(57)【要約】【課題】テレビジョン放送等で行われる広告の詳細情報を視聴者が容易に取得することができる。【解決手段】放送されるプッシュ型広告データを受信し表示手段に表示するステップと、受信したプッシュ型広告データのインデックスデータを記憶手段に蓄積するステップと、操作手段から入力された検索指示データに基づいた記憶手段に蓄積されたインデックスデータをネットワークを介して送信するステップと、記憶手段に蓄積したインデックスデータに基づいてプッシュ型広告データに関連するアクセス先アドレスデータを検索し、インデックスデータの送信元に返信するステップと、アクセス先アドレスデータの示すプル型広告データにアクセスするステップとを有する。【選択図】  図１
2004186791.tif 000002
【特許請求の範囲】
【請求項１】
放送される広告データを受信し広告データを表示手段に表示するステップと、
上記受信した広告データのインデックスデータを記憶手段に蓄積するステップと、
操作手段から入力された検索指示データに基づいた上記記憶手段に蓄積されたインデックスデータをネットワークを介して送信するステップと、
上記記憶手段に蓄積したインデックスデータに基づいて上記広告データに関連する関連データを検索し、上記インデックスデータの送信元に上記ネットワークを介して返信するステップと、
上記関連データを受信し、この関連データを告知するステップと、
上記関連データに基づいて上記広告データより更に詳細な広告データを取得するステップとを有する広告検索方法。
【請求項２】
上記関連データは、上記広告データより更に詳細な広告データを取得するためのアクセス先データを含む請求項１記載の広告検索方法。
【請求項３】
広告データを含む放送データを受信する受信手段と、
上記受信手段で受信した広告データのインデックスデータを蓄積する記憶手段と、
検索指示データを入力する操作手段と、
上記広告データに関連する関連データを蓄積する蓄積手段と、
上記操作手段より入力された検索指示データに基づいた上記記憶手段に蓄積されたインデックスデータをネットワークを介して送信する通信手段と、
上記通信手段より送信されたインデックスデータに基づいて上記蓄積手段の関連データを検索する検索手段と、
上記検索手段で検索した関連データを上記ネットワークを介して返信する返信手段と、
上記受信手段で受信した広告データを表示すると共に、上記通信手段で受信した関連データに基づいた上記広告データより更に詳細な広告データを表示する表示手段とを備える広告検索システム。
【請求項４】
上記関連データは、上記広告データより更に詳細な広告データを取得するためのアクセス先データを含む請求項３記載の広告検索システム。
【請求項５】
広告データを含む放送データを受信するステップと、
上記放送データに含まれる広告データのインデックスデータを記憶手段に蓄積するステップと、
上記記憶手段に蓄積したインデックスデータを検索する検索指示データを入力するステップと、
上記入力された検索指示データに応じたインデックスデータを検索するステップと、
上記検索したインデックスデータをネットワークを介して送信するステップと、
上記送信したインデックスデータに応じた上記広告データに関連する関連データを上記ネットワークを介して受信するステップと、
上記受信した関連データに基づいた上記広告データより更に詳細な広告データを表示手段に表示するステップとを有する受信装置の通信方法。
【請求項６】
上記関連データは、上記広告データより更に詳細な広告データを取得するためのアクセス先データを含む請求項５記載の受信装置の通信方法。
【請求項７】
広告データを含む放送データを受信する受信手段と、
上記放送データに含まれる広告データのインデックスデータを蓄積する記憶手段と、
上記記憶手段に蓄積したインデックスデータを検索する検索指示データを入力する操作手段と、
上記操作手段より入力された検索指示データに応じたインデックスデータを検索する検索手段と、
上記検索手段が検索したインデックスデータをネットワークを介して送信すると共に、送信したインデックスデータに応じた上記広告データに関連する関連データを上記ネットワークを介して受信する通信手段と、
上記受信手段が受信した広告データを表示すると共に、上記通信手段で受信した関連データに基づいた上記広告データより更に詳細な広告データを表示する表示手段とを備える受信装置。
【請求項８】
コンピュータによって実行可能なコンピュータプログラムであって、
広告データを含む放送データを受信し表示手段に表示するステップと、
記憶手段に蓄積された放送データに含まれる広告データのインデックスデータの中から操作手段から入力された検索指示データに応じたインデックスデータを検索しネットワークを介して送信する検索ステップと、
上記送信したインデックスデータに応じた上記広告データに関連する関連データを上記ネットワークを介して受信し、上記受信した関連データに基づいた上記広告データより更に詳細な広告データを表示するステップとを有するコンピュータプログラム。
【請求項９】
コンピュータにより実行可能なコンピュータプログラムが記録された記録媒体であって、
上記コンピュータプログラムは、
広告データを含む放送データを受信し表示手段に表示するステップと、
記憶手段に蓄積された放送データに含まれる広告データのインデックスデータの中から操作手段から入力された検索指示データに応じたインデックスデータを検索しネットワークを介して送信する検索ステップと、
上記送信したインデックスデータに応じた上記広告データに関連する関連データを上記ネットワークを介して受信し、上記受信した関連データに基づいた上記広告データより更に詳細な広告データを表示するステップとを有する記録媒体。
【請求項１０】
受信装置が受信した放送データの広告データのインデックスデータをネットワークを介して受信するステップと、
上記受信したインデックスデータに基づいて上記広告データに関連する関連データを検索するステップと、
上記インデックスデータの送信元に上記検索した関連データを上記ネットワークを介して返信するステップとを有する情報処理装置の通信方法。
【請求項１１】
上記関連データは、上記広告データより更に詳細な広告データを取得するためのアクセス先データを含む請求項１０記載の情報処理装置の通信方法。
【請求項１２】
放送データに含まれる広告データに関連する関連データが蓄積された蓄積手段と、
受信装置が受信した放送データの広告データのインデックスデータをネットワークを介して受信する受信手段と、
上記受信したインデックスデータに基づいて上記蓄積手段の関連データを検索する検索手段と、
上記インデックスデータの送信元に上記検索した関連データを上記ネットワークを介して返信する送信手段とを有する情報処理装置。
【請求項１３】
コンピュータによって実行可能なコンピュータプログラムであって、
受信装置が受信した放送データの広告データのインデックスデータに基づいて上記広告データに関連する関連データを検索し、検索した関連データを上記ネットワークを介して返信するステップとを有するコンピュータプログラム。
【請求項１４】
コンピュータにより実行可能なコンピュータプログラムが記録された記録媒体であって、
上記コンピュータプログラムは、受信装置が受信した放送データの広告データのインデックスデータに基づいて上記広告データに関連する関連データを検索し、検索した関連データを上記ネットワークを介して返信するステップとを有する記録媒体。
【発明の詳細な説明】
【０００１】
【発明の属する技術分野】
本発明は、テレビジョン放送等で行われる広告より詳細な広告を視聴者等がネットワークを介して視聴することができる広告検索方法及び広告検索システムに関する。
【０００２】
【従来の技術】
従来より、テレビジョン放送などにより提供されるコマーシャルメッセージ（以下、単にＣＭという。）等の広告は、視聴者に対する直観的な情報提供手段として有効である。テレビジョン放送で放送される広告は、番組間、番組本編間等限られた時間内において提供される。したがって、視聴者に提供できる情報は、限られたものとなり、視聴者は、広告で紹介された商品の詳細情報を更に知りたいとき、電話、郵便等で販売店に連絡を取り又は販売店へ直接出向く必要がある。そこで、テレビジョン放送中の広告を自動的に検出し、その中から指定した広告データに関して詳細な内容のアクセス先を自動的に取得し、更にそのアクセス先へ自動的に接続し、詳細な情報へのアクセスを可能にする情報送受信システムがある。（特許文献１参照）。
【０００３】
この情報送受信システムは、放送局が広告を含む放送データを放送し、消費者端末が放送データから広告データを検出し、その検出した広告データの放送時刻や放送チャンネルに基づいてアクセス先情報供給装置にアクセスし、アクセス先情報供給装置から広告に関する詳細情報を持つ商品等販売者端末のアクセス先情報を取得し、取得したアクセス先情報に基づいて商品等販売者端末にアクセスし、広告に関連する詳細情報を取得する。
【０００４】
【特許文献１】
特開２００２−１０２３７号公報
【０００５】
【発明が解決しようとする課題】
しかしながら、この特許文献１に示される情報送受信システムは、消費者端末及びアクセス先情報供給装置で放送データの中から広告データを検出し、検出した広告データの特徴点、例えば時間長、音量、映像の切り替わり等を検出する機能を設ける必要があり、構成が複雑なものとなってしまう。また、アクセス先情報供給装置では、加えて、抽出した広告データの特徴点と、広告データの詳細情報が所在するＵＲＬ（Ｕｎｉｆｏｒｍ  Ｒｅｓｏｕｒｃｅ  Ｌｏｃａｔｏｒ）等を関連付けるデータベースが必要となり、更に装置が複雑なものとなってしまう。
【０００６】
本発明は、以上のような課題に鑑みてなされたものであり、その目的は、テレビジョン放送等で行われる広告データの詳細情報を視聴者が容易に取得することができる広告検索方法及び広告検索システムを提供することにある。
【０００７】
また、本発明の目的は、テレビジョン放送等の中より容易に広告を検出することができる広告検索方法及び広告検索システムを提供することにある。
【０００８】
更に、本発明の目的は、従来より簡単な構成でテレビジョン放送等で行われる広告データの詳細情報を視聴者が容易に取得するようにする広告検索方法及び広告検索システムを提供することにある。
【０００９】
更に、本発明の目的は、以上のような広告検索方法及び広告検索システムに用いる受信装置及びこの受信装置のデータ通信方法並びに受信装置がアクセスしＣＭの詳細情報を取得することができるようにする情報処理装置及びこの情報処理装置のデータ通信方法を提供することにある。
【００１０】
【課題を解決するための手段】
本発明に係る広告検索方法は、放送される広告データを受信し広告データを表示手段に表示するステップと、受信した広告データのインデックスデータを記憶手段に蓄積するステップと、操作手段から入力された検索指示データに基づいた記憶手段に蓄積されたインデックスデータをネットワークを介して送信するステップと、記憶手段に蓄積したインデックスデータに基づいて広告データに関連する関連データを検索し、インデックスデータの送信元にネットワークを介して返信するステップと、関連データを受信し、この関連データを告知するステップと、関連データに基づいて広告データより更に詳細な広告データを取得するステップとを有する。
【００１１】
また、本発明に係る広告検索システムは、広告データを含む放送データを受信する受信手段と、受信手段で受信した広告データのインデックスデータを蓄積する記憶手段と、検索指示データを入力する操作手段と、広告データに関連する関連データを蓄積する蓄積手段と、操作手段より入力された検索指示データに基づいた記憶手段に蓄積されたインデックスデータをネットワークを介して送信する通信手段と、通信手段より送信されたインデックスデータに基づいて蓄積手段の関連データを検索する検索手段と、検索手段で検索した関連データをネットワークを介して返信する返信手段と、受信手段で受信した広告データを表示すると共に、通信手段で受信した関連データに基づいた広告データより更に詳細な広告データを表示する表示手段とを備える。
【００１２】
更に、本発明に係る受信装置の通信方法は、広告データを含む放送データを受信するステップと、放送データに含まれる広告データのインデックスデータを記憶手段に蓄積するステップと、記憶手段に蓄積したインデックスデータを検索する検索指示データを入力するステップと、入力された検索指示データに応じたインデックスデータを検索するステップと、検索したインデックスデータをネットワークを介して送信するステップと、送信したインデックスデータに応じた広告データに関連する関連データをネットワークを介して受信するステップと、受信した関連データに基づいた広告データより更に詳細な広告データを表示手段に表示するステップとを有する。
【００１３】
この通信方法に用いる受信装置は、広告データを含む放送データを受信する受信手段と、放送データに含まれる広告データのインデックスデータを蓄積する記憶手段と、記憶手段に蓄積したインデックスデータを検索する検索指示データを入力する操作手段と、操作手段より入力された検索指示データに応じたインデックスデータを検索する検索手段と、検索手段が検索したインデックスデータをネットワークを介して送信すると共に、送信したインデックスデータに応じた広告データに関連する関連データをネットワークを介して受信する通信手段と、受信手段が受信した広告データを表示すると共に、通信手段で受信した関連データに基づいた広告データより更に詳細な広告データを表示する表示手段とを備える。
【００１４】
更に、この受信装置の機能を実現する本発明に係るコンピュータプログラムは、広告データを含む放送データを受信し表示手段に表示するステップと、記憶手段に蓄積された放送データに含まれる広告データのインデックスデータの中から操作手段から入力された検索指示データに応じたインデックスデータを検索しネットワークを介して送信する検索ステップと、送信したインデックスデータに応じた広告データに関連する関連データをネットワークを介して受信し、受信した関連データに基づいた広告データより更に詳細な広告データを表示するステップとを有し、ネットワークや記録媒体に記録されて拡布される。
【００１５】
また、本発明に係る情報処理装置の通信方法は、受信装置が受信した放送データの広告データのインデックスデータをネットワークを介して受信するステップと、受信したインデックスデータに基づいて広告データに関連する関連データを検索するステップと、インデックスデータの送信元に検索した関連データをネットワークを介して返信するステップとを有する。
【００１６】
この通信方法に用いる情報処理装置は、放送データに含まれる広告データに関連する関連データが蓄積された蓄積手段と、受信装置が受信した放送データの広告データのインデックスデータをネットワークを介して受信する受信手段と、受信したインデックスデータに基づいて蓄積手段の関連データを検索する検索手段と、インデックスデータの送信元に検索した関連データをネットワークを介して返信する送信手段とを有する。
【００１７】
更に、この情報処理装置の機能を実現する本発明に係るコンピュータプログラムは、受信装置が受信した放送データの広告データのインデックスデータに基づいて広告データに関連する関連データを検索し、検索した関連データをネットワークを介して返信するステップとを有し、ネットワークや記録媒体に記録されて拡布される。
【００１８】
【発明の実施の形態】
以下、本発明が適用された広告検索システムを、図面を参照して説明する。
【００１９】
図１に示すように、本発明を適用した広告検索システム１は、放送データを送信する放送装置１０と、放送装置１０が送信する放送データを受信する受信装置２０と、広告を依頼する広告主端末４０と、本システム１を管理する管理装置５０とを備える。そして、広告主端末４０と管理装置５０、管理装置５０と放送装置１０、受信装置２０と管理装置５０とは、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線、ＣＡＴＶ（Ｃａｂｌｅ  Ｔｅｌｅｖｉｓｉｏｎ）回線、光ケーブル回線、ｘＤＳＬ（ｘ  Ｄｉｇｉｔａｌ  Ｓｕｂｓｃｒｉｂｅｒ  Ｌｉｎｅ  ）、ディジタル衛星放送用の衛星回線等のネットワーク２で接続されている。
【００２０】
放送装置１０は、例えばテレビジョン放送事業者が管理する装置であって、衛星ディジタル放送、地上波ディジタル放送等の方式でチャンネル毎にジャンルを決めて番組を放送する。例えば、一のチャンネルでは、専ら映画を放送し、他のチャンネルでは、ニュースを専ら放送する。これらのチャンネルでは、番組間若しくは番組本編間において、広告を放送する。映画やニュースの専用チャンネルで放送する広告は、視聴者に対して一方的に情報を提供するプッシュ型の広告である。このプッシュ型広告には、広告の見出しとなるインデックスデータが付与されている。ここで、インデックスデータは、その広告を特定するための識別データ、広告で提供する情報のジャンル等である。
【００２１】
受信装置２０は、視聴者宅に設置される例えばテレビジョン受像機に有線又は無線で接続されたセットトップボックスであり、また、テレビジョン受像機と一体化された装置である。受信装置２０は、視聴者が特定のチャンネルの番組を視聴しているとき、そのチャンネルで放送されている広告に付与されているインデックスデータを保存し、視聴者は、保存されたインデックスデータで所望の広告を検索することができる。受信装置２０は、視聴者が所望の広告のインデックスデータを選択したとき、本システム１を管理する管理装置５０にアクセスし、例えばその広告の更に詳細な広告、例えばプル型広告のアクセス先データを取得し、視聴者が能動的にインデックスデータが示すプッシュ型広告の更なる詳細な情報を提供するプル型広告を視聴できるようにする。
【００２２】
広告主端末４０は、放送中の番組間若しくは番組本編間において挿入するプッシュ型広告の依頼主が所有する装置である。広告主端末４０は、本システム１を管理する管理装置５０に対して放送するプッシュ型広告データを作成し送信する。また、広告主端末４０は、管理装置５０から統計データ等を受信する。
【００２３】
管理装置５０は、本システム１を管理する装置であり、本システム１のサービス提供者が管理する。この管理装置５０は、広告主端末４０から番組間若しくは番組本編間において挿入するプッシュ型広告データを受信し、この受信したプッシュ型広告データに対してインデックスデータを付与し、付与したインデックスデータと付与したインデックスデータに対応したプッシュ型広告データを放送装置１０に送信する。このとき、管理装置５０は、データベースにインデックスデータと、このプッシュ型広告データより詳細なプル型広告データ等が所在するアクセス先アドレスデータを関連付けてデータベースに登録する。
【００２４】
また、管理装置５０は、受信装置２０からインデックスデータを受信すると、受信したインデックスデータに関連付けられているアクセス先アドレスデータを受信装置２０に送信し、受信装置２０がプル型広告データを取得することができるようにする。更に、管理装置５０は、データベースで管理しているインデックスデータ毎にアクセス件数等を管理し、統計データ等を広告主端末４０に送信し、広告主が広告効果等を分析できるようにする。
【００２５】
以上のような広告検索システム１では、放送装置１０が送信するプッシュ型広告データにインデックスデータを含ませ、視聴者宅の受信装置２０がインデックスデータを蓄積するようにすることで、視聴者が所望のプッシュ型広告データの詳細を更に知りたいとき、そのプッシュ型広告データのインデックスデータを容易に検索することができる。そして、視聴者が放送されたプッシュ型広告の内容より更に詳細な情報の取得を望むとき、受信装置２０は、インデックスデータを管理装置５０に送信し、インデックスデータに関連する関連データとなるアクセス先アドレスデータを取得し、取得したアクセス先アドレスデータにアクセスする。これによって、受信装置２０は、視聴者が所望したプッシュ型広告データの更に詳細なプル型広告データを視聴することができる。
【００２６】
また、管理装置５０は、データベースで管理しているインデックスデータ毎にアクセス件数等を管理し、統計データ等を広告主端末４０に送信することで、広告主が広告効果等を分析できるようにしている。
【００２７】
次に、図２を参照して、本発明を適用した広告検索システム１を構成する放送装置１０について説明する。この放送装置１０は、例えばテレビジョン放送事業者が管理する装置であって、放送する映画、ニュース等の番組データが保存される番組蓄積部１１と、番組間若しくは番組本編間において挿入するプッシュ型広告データが保存される広告蓄積部１２と、インターネット等のネットワーク２を介して管理装置５０から送信されたプッシュ型広告データとそのプッシュ型広告データに対応したインデックスデータを受信する通信部１３と、インデックスデータが付与されたプッシュ型広告データを生成する広告データ生成部１４と、番組蓄積部１１の番組データと広告蓄積部１２のプッシュ型広告データとを合成し放送データを生成する放送データ生成部１５と、放送する番組をディジタル多重化処理するディジタル多重化部１６と、ディジタル多重化処理がされた番組データの送信処理を行う送信処理部１７と、送信処理された番組データを送信するアンテナ１８とを備える。
【００２８】
番組蓄積部１１、広告蓄積部１２は、それぞれ大容量ハードディスク等からなり、また、ディスクカートリッジ、テープカートリッジ等のリムーバル記録媒体が複数収納され、放送事業者の操作に従って所望のリムーバル記録媒体を抽出し選択されたデータを再生する記録媒体交換装置である。各蓄積部１１，１２には、音声データであれば、ＭＰＥＧ−２ＡＡＣ（Ｍｏｔｉｏｎ  Ｐｉｃｔｕｒｅ  Ｅｘｐｅｒｔ  Ｇｒｏｕｐ  ２  Ａｄｖａｎｃｅｄ  Ａｕｄｉｏ  Ｃｏｄｉｎｇ：商標）等の方式で、画像データであれば、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）等の方式で、動画データであれば、ＭＰＥＧ２等の方式で符号化されて保存される。
【００２９】
番組蓄積部１１には、具体的に、映画番組、ニュース番組、音楽番組、クイズ番組等の番組データが保存されている。そして、番組蓄積部１１は、所定の番組データを放送データ生成部１５に出力する。
【００３０】
また、広告蓄積部１２には、映像データ、画像データ、音声データ等で構成され、番組間や番組本編間に挿入するプッシュ型広告データが保存されている。この広告蓄積部１２に保存されるプッシュ型広告データは、管理装置５０から受信したものであって、保存されたプッシュ型広告データのそれぞれには、管理装置５０が付与したインデックスデータが付与されている。
【００３１】
放送装置１０では、管理装置５０からプッシュ型広告データとそのプッシュ型広告データに対応したインデックスデータを受信する通信部１３と、プッシュ型広告データにインデックスデータを付与する広告データ生成部１４とが設けられ、広告データ生成部１４が生成したインデックスデータが付与されたプッシュ型広告データを広告蓄積部１２に保存するようにしている。
【００３２】
通信部１３は、インターネット等のネットワーク２に接続されており、管理装置５０から送信されたプッシュ型広告データと、このプッシュ型広告データに付与されたインデックスデータを受信する。具体的に、通信部１３は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等の伝送プロトコルに従って管理装置５０から送信されたプッシュ型広告データとインデックスデータを受信する。
【００３３】
広告データ生成部１４は、通信部１３よりプッシュ型広告データとインデックスデータが入力されると、例えばプッシュ型広告データの制御データの一部としてインデックスデータを格納する。また、広告データ生成部１４は、画像データや動画データ中にウォータマークとしてインデックスデータを埋め込み、また、音声データの一部にインデックスデータをウォータマークとして埋め込みプッシュ型広告データとインデックスデータとを一体化し、一体化したプッシュ型広告データを広告蓄積部１２に保存する。
【００３４】
放送データ生成部１５は、図示しないメモリに保存された一日の放送プログラムに従って番組蓄積部１１から読み出した番組データと広告蓄積部１２から読み出したプッシュ型広告データとを合成し、放送データを生成する。具体的に、放送データ生成部１５は、番組間に、所定時間（１５秒、３０秒程度）の一又は複数のプッシュ型広告データを挿入し、また、番組本編間に（例えば１５分間隔）、所定時間（例えば１５秒、３０秒程度）の一又は複数のプッシュ型広告データを挿入して放送データを生成する。そして、放送データ生成部１５は、生成した放送データをディジタル多重化部１６に出力する。
【００３５】
ディジタル多重化部１６は、複数のチャンネルの番組データ等をパケット化し、パケット単位で複数のコンテンツデータを時分割多重化等の方式でディジタル多重化する。そして、ディジタル多重化部１６は、多重化した放送データを送信処理部１７に出力する。
【００３６】
送信処理部１７は、ディジタル多重化部１６より入力された放送データを符号化し、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）等の方式で変調し、アンテナ１８に出力する。なお、送信処理部１７は、変調処理の前段において、暗号化処理等を行うようにしてもよい。アンテナ１８は、送信処理部１７より入力された送信処理が施された放送データを例えばディジタル放送衛星に発信する。
【００３７】
以上のように構成された放送装置１０は、一日の放送プログラムに応じて放送を行う。すなわち、放送装置１０は、例えば一日の放送プログラムに従って、番組蓄積部１１、広告蓄積部１２より番組データ、プッシュ型広告データを読み出し、次いで、放送データ生成部１５で番組間に、所定時間（１５秒、３０秒程度）の一又は複数のプッシュ型広告データを挿入し、また、番組本編間に（例えば１５分間隔）、所定時間（例えば１５秒、３０秒程度）の一又は複数のインデックスデータが一体化されたプッシュ型広告データを挿入して放送データを生成し、生成した放送データをディジタル多重化部１６でディジタル多重化し、次いで、ディジタル多重化された放送データを送信処理部１７で符号化し更に変調してアンテナ１７より発信する。
【００３８】
また、放送装置１０は、通信部１３でネットワーク２を介して管理装置５０から送信されたプッシュ型広告データと、このプッシュ型広告データに付与されたインデックスデータを受信すると、広告データ生成部１４でプッシュ型広告データとインデックスデータとを一体化し、一体化したプッシュ型広告データを広告蓄積部１２に保存する。したがって、放送データ生成部１５で生成される放送データ中に含まれるプッシュ型広告データは、インデックスデータが一体化されたものである。
【００３９】
次に、図３を参照して、放送データを受信する受信装置２０について説明する。この受信装置２０は、放送装置１０よりディジタル放送衛星を介して放送された放送データを受信するアンテナ２１と、アンテナ２１で受信した放送データに対して受信処理を施す受信処理部２２と、受信処理がされた放送データに対して復号処理を施す復号処理部２３と、復号処理部２３で復号したプッシュ型広告データよりインデックスデータを抽出するインデックス抽出部２４と、インデックス抽出部２４が抽出したインデックスデータを保存するインデックス記憶部２５と、音声データをディジタル信号からアナログ信号に変換するディジタル／アナログ変換器（以下、単に、Ｄ／Ａコンバータという。）２６と、アナログ信号に変換された音声データを再生音に変換し放音するスピーカ２７と、番組データやプッシュ型広告データ等を表示する表示部２８と、操作信号を入力する操作部２９と、全体の動作を制御する制御プログラム等が保存されたプログラム用記憶部３０と、放送データを保存するデータ用記憶部３１と、プログラム用記憶部３０等に保存されたプログラムがロードされる一時記憶部３２と、管理装置５０とネットワーク２を介してデータ通信をする通信部３３と、全体の動作を制御する制御部３４とを備える。
【００４０】
アンテナ２１は、放送装置１０より発信された放送データを検波し、受信した放送データを受信処理部２３に出力する。受信処理部２３は、放送装置１０の送信処理部１７でＯＦＤＭ等の方式で変調されている放送データを復調し、所定の復号処理を行った後、復号処理部２３に出力する。復号処理部２３は、復調された放送データ、すなわちディジタル多重化処理が施されている放送データを復号する。そして、復号処理部２３は、視聴者が選択しているチャンネルの放送データを抽出し、この抽出した所定チャンネルの放送データを制御部３４を介してＤ／Ａコンバータ２６に出力する。
【００４１】
インデックス抽出部２４は、視聴者が選択している復号処理されたチャンネルの放送データよりプッシュ型広告データを検出し、検出したプッシュ型広告データより付与されているインデックスデータを抽出する。具体的に、インデックス抽出部２４は、放送データ中のプッシュ型広告データに含まれる制御データの一部をなすインデックスデータを検出することによって、又は、広告データに埋め込まれているウォータマークを検出することによって、放送データに含まれるプッシュ型広告データを検出する。インデックス抽出部２４は、放送データに含まれるインデックスデータを検出することで、放送データ中のプッシュ型広告データを抽出するようにしており、従来のように広告データの特徴点に基づいて広告データを検出する場合に比べて、正確に広告データを検出することができ、また、簡単な構成で広告データを検出し、抽出することができる。
【００４２】
なお、インデックス抽出部２４は、視聴者が選択しているチャンネルの放送データのプッシュ型広告データの中よりインデックスデータを抽出する他、視聴が録画しているチャンネルの放送データのプッシュ型広告データの中よりインデックスデータを抽出するようにしてもよく、更に、全てのチャンネルの放送データの広告データの中よりインデックスデータを抽出ようにしてもよい。
【００４３】
インデックス記憶部２５は、インデックス抽出部２４が抽出したインデックスデータを保存する。このインデックス記憶部２５は、書換可能な記録媒体であって、ハードディスク、ＥＥＰＲＯＭ等の内蔵型の記録媒体の他、フラッシュメモリを記憶素子に用いるＩＣカード、テープカートリッジ、ディスクカートリッジ等のリムーバル記録媒体で構成されている。
【００４４】
Ｄ／Ａコンバータ２６には、復号処理部２３で復号処理された視聴者が選択しているチャンネルの放送データが入力される、Ｄ／Ａコンバータ２６は、入力された所定チャンネルの放送データをディジタル信号からアナログ信号の変換し、アナログ信号の放送データをスピーカ２７に出力する。スピーカ２７は、入力されたアナログ信号の放送データを再生音に変換し放音する。なお、放送信号の出力手段は、スピーカ３７の他、ヘッドフォンやイヤホンであってもよい。
【００４５】
表示部２８は、液晶表示パネル、陰極線管等であり、再生する放送データ等を表示する。例えば、表示部２８は、放送データの他現在選択しているチャンネル番号等を例えば文字データで表示する。
【００４６】
また、操作部２９は、複数の押し釦、ダイヤル等で構成された選局釦、音量調整釦、表示内容切換釦、タイマ設定釦、文字入力釦等を有している。操作部２９は、例えば視聴者が選局釦を操作してチャンネルの選択がされたとき、チャンネル選択データを制御部３４に出力し、また、音量調整釦が操作されたとき、その音量調整データを制御部３４に出力する。
【００４７】
なお、表示部２８は、操作部２９と共用するため、タブレット等で構成してもよい。また、操作部２９は、利便性の向上のため遠隔操作装置であってもよい。
【００４８】
プログラム用記憶部３０は、ハードディスク、ＲＯＭ、ＥＥＰＲＯＭ、フラッシュメモリ等で構成されている。プログラム用記憶部３０には、各種資源を管理するオペレーティングシステム、管理装置５０や広告主端末４０とデータ通信を行うための通信プログラム等が格納されている。また、このプログラム用記憶部３０は、書換可能な記憶媒体を用いることで、アンテナ２１、通信部３３、更に他のリムーバル記録媒体から入力されたアップデート用のプログラムに、現在保存されているプログラムを書き換えることができる。一時記憶部３２は、ＲＡＭ等で構成されている。この一時記憶部３２には、プログラム用記憶部３０に格納されている各種プログラムがロードされる。
【００４９】
データ用記憶部３１は、書換可能な記録媒体であって、ハードディスク、ＥＥＰＲＯＭ等の内蔵型の記録媒体の他、フラッシュメモリを記憶素子に用いるＩＣカード、テープカートリッジ、ディスクカートリッジ等のリムーバル記録媒体で構成されている。このデータ用記憶部３１は、例えば放送中の番組を記録することができる。このデータ用記憶部３１には、再生中のチャンネルの番組の他、再生していないチャンネルの番組も記録することができる。この場合、復号処理部２３は、現在再生するチャンネルの放送データを抽出し、Ｄ／Ａコンバータ２６に出力するとともに、視聴者によって選択されたチャンネルの所定時間の番組を抽出し制御部３４に出力する。制御部３４に入力された番組データは、制御部３４によってデータ用記憶部３１に記録される。これによって、視聴者は、ある番組を聞きながら、同じ時間に放送されている他のチャンネルの番組をデータ用記憶部３１に記録することができ、空き時間を利用してデータ用記憶部３１に記録した番組を視聴することができる。
【００５０】
また、データ用記憶部３１に番組データを保存するときには、ＭＰＥＧ−２ＡＡＣ、ＪＰＥＧ等の方式で符号化し、データサイズを小さくして保存するようにしてもよい。
【００５１】
通信部３３は、ネットワーク２を介して管理装置５０や広告主端末４０にアクセスする。通信部３３は、視聴者所望の放送されたプッシュ型広告データのインデックスデータをインデックス記憶部２５より読み出し、管理装置５０に送信し、送信したインデックスデータに関連するアクセス先データ等の関連データを受信する。また、通信部３３は、受信したアドレス先データが示す広告主端末４０にアクセスし、インデックスデータに対応したプッシュ型広告データより詳細なプル型広告データをダウンロード若しくはストリーミングで受信する。かくして、受信したプル型広告データは、表示部２８に表示され、又は、スピーカ２７より放音され、視聴者に視聴されることになる。
【００５２】
以上のように構成された受信装置２０は、視聴者が所望のチャンネルを操作部２９を用いて選択すると選局データが制御部３４に入力されると、アンテナ２１で放送装置１０より発信された放送データを受信し、受信処理部２２で復調、復号処理を施し、復号処理部２３で選択されたチャンネルの放送データを抽出し、抽出した放送データをＤ／Ａコンバータ２６でディジタル信号をアナログ信号に変換し、スピーカ２７より再生音に変換して出力する。また、復号処理部２３は、選択されたチャンネルの放送信号より表示データを抽出し、表示部２８に表示データを表示する。
【００５３】
このとき、インデックス抽出部２４は、視聴者が選択している復号処理されたチャンネルの放送データよりプッシュ型広告データを検出し、検出したプッシュ型広告データより付与されているインデックスデータを抽出し、インデックス記憶部２５に、抽出したインデックスデータを保存する。
【００５４】
また、視聴者は、操作部２９を操作し、検索条件を入力することによって、インデックス記憶部２５に保存されているインデックスデータの中より所望のインデックスデータ検索することができ、更に、通信部３５よりこのインデックスデータをネットワーク２を介して管理装置５０に送信し、送信したインデックスデータに対応するプル型広告データが所在するＵＲＬ等のアクセス先アドレスデータを取得することができる。視聴者は、取得したアクセス先アドレスデータが所在するサーバ装置、例えば広告主端末４０にネットワーク２を介してアクセスし、プル型広告データをダウンロードし、表示部２８に表示し、更に、再生音をスピーカ２７より放音することができる。かくして、視聴者は、放送で行われるプッシュ型広告データより詳細な詳細データをプル型広告データを閲覧することによって取得することができる。
【００５５】
更に、図４を参照して、広告主が所有する広告主端末４０について説明する。
この広告主端末４０は、据え置き型又は携帯型のパーソナルコンピュータとほぼ同様な構成を有する装置であって、全体の動作を制御する制御プログラム等が保存されたプログラム用記憶部４１と、プログラム用記憶部４１等に保存されたプログラムがロードされる一時記憶部４２と、データを保存するデータ用記憶部４３と、操作信号を入力する入力部４４と、データを表示する表示部４５と、管理装置５０や受信装置２０とネットワーク２を介してデータ通信をする通信部４６と、全体の動作を制御するＣＰＵ等で構成された制御部４７とを備える。
【００５６】
プログラム用記憶部４１は、ハードディスク、ＲＯＭ、ＥＥＰＲＯＭ、フラッシュメモリ等で構成されている。プログラム用記憶部４１には、各種資源を管理するオペレーティングシステム、管理装置５０や受信装置２０とネットワーク２を介してデータ通信を行うための通信プログラム等が格納されている。また、このプログラム用記憶部４１には、プッシュ型やプル型の広告データを作成するための各種アプリケーションプログラムが格納されている。このプログラム用記憶部４１は、書換可能な記憶媒体を用いることで、通信部４６、更に他のリムーバル記録媒体から入力されたアップデート用のプログラムに、現在保存されているプログラムを書き換えることができる。一時記憶部４２は、ＲＡＭ等で構成されている。この一時記憶部４２には、プログラム用記憶部４１に格納されている各種プログラムがロードされる。
【００５７】
また、データ用記憶部４３は、書換可能な記録媒体であって、ハードディスク、ＥＥＰＲＯＭ等の内蔵型の記録媒体の他、フラッシュメモリを記憶素子に用いるＩＣカード、テープカートリッジ、ディスクカートリッジ等のリムーバル記録媒体で構成されている。データ用記憶部４３には、管理装置５０を介して放送装置１０に提供するためのプッシュ型やプル型の広告データが保存される。また、このデータ用記憶部４３には、受信装置２０からのアクセス要求に応じて、その受信装置２０にネットワーク２を介して送信するプル型広告データとなるホームページ等が格納されている。なお、データ用記憶部４３に番組データを保存するときには、ＭＰＥＧ−２ＡＡＣ、ＪＰＥＧ等の方式で符号化し、データサイズを小さくして保存するようにしてもよい。
【００５８】
入力部４４は、キーボード、マウス、テンキー等で構成されており、広告主の操作に応じて各種操作信号を生成する。表示部４５は、陰極線管、液晶表示パネル等であり、各種データを表示する。
【００５９】
以上のように構成された広告主端末４０は、プログラム用記憶部４１に保存されているプッシュ型やプル型の広告データを作成するための各種アプリケーションプログラムを用いて管理装置５０を介して放送装置１０に送信するプッシュ型広告データや受信装置２０が閲覧できるようにするプル型広告データを作成することができる。そして、広告主端末４０は、作成したプッシュ型広告データをネットワーク２を介して通信部４６より管理装置５０に送信する。広告主端末４０は、プッシュ型広告データを管理装置５０に送信するとき、送信するプッシュ型広告データと共に、このプッシュ型広告データに関連する関連データとなるアクセス先データを管理装置５０に送信する。アクセス先データは、放送するプッシュ型広告データより詳細な情報が記載されたプル型広告データが所在する受信装置２０のアクセス先データ例えばＵＲＬである。また、広告主端末４０は、受信装置２０よりネットワーク２を介してプル型広告データのアクセス要求が受信したとき、通信部４６よりアクセス要求のあったプル型広告データをネットワーク２を介して受信装置２０に送信する。
【００６０】
更に、図５を参照して、本システム１を管理する管理装置５０について説明する。この管理装置５０は、例えばサーバ装置であって、プル型広告データとプッシュ型広告データとを関連付けるリンクテーブル５１と、全体の動作を制御する制御プログラム等が保存されたプログラム用記憶部５２と、プログラム用記憶部５２等に保存されたプログラムがロードされる一時記憶部５３と、放送装置１０、受信装置２０、広告主端末４０とネットワーク２を介してデータ通信を行うための通信部５４と、全体の動作を制御するＣＰＵ等からなる制御部５５を備える。
【００６１】
リンクテーブル５１は、例えば大容量ハードディスクに格納されている。このリンクテーブルは、放送装置１０が放送するプッシュ型広告データに付与されるインデックスデータとプッシュ型広告データの視聴者が受信装置２０を用いてアクセスするプル型広告データとを関連付けるテーブルであり、下記表１のように構成されている。
【００６２】
【表１】
2004186791.tif 000003
【００６３】
リンクテーブル５１は、表１に示すように、フィールドとして、放送装置１０が放送するプッシュ型広告データのナンバと、プッシュ型広告データのインデックスデータと、受信装置２０がプル型広告データを閲覧するためにアクセスするアクセス先データと、受信装置２０の管理装置へのアクセス回数とを管理している。リンクテーブル５１は、広告主端末４０からネットワーク２を介して放送装置１０に送信するプッシュ型広告データとこのプッシュ型広告データに関連する関連データとなるアクセス先データとを受信したとき、受信したプッシュ型広告データにナンバを付与すると共に、インデックスデータを付与し、更に、付与したプッシュ型広告データのナンバに、付与したインデックスデータと受信したアクセス先データとを関連付けて保存する。例えば、表１の例では、ナンバ１に、インデックスデータ「ＡＡＡ」とアクセス先データ「ｈｔｔｐ：／／ｗｗｗ．ａａａ．ｃｏ．ｊｐ／」が関連付けられている。また、リンクテーブル５１は、プッシュ型広告データのナンバ毎に、受信装置２０のアクセス回数を記録している。リンクテーブル５１は、プッシュ型広告データ毎にアクセス回数を管理することで、例えばどれだけ視聴者がそのプッシュ型広告データに関心を持っているかの判断材料に用いることができるようにしている。
【００６４】
プログラム用記憶部５２は、ハードディスク、ＲＯＭ、ＥＥＰＲＯＭ、フラッシュメモリ等で構成されている。プログラム用記憶部５２には、各種資源を管理するオペレーティングシステム、放送装置１０、受信装置２０及び広告主端末４０とネットワーク２を介してデータ通信を行うための通信プログラム等が格納されている。このプログラム用記憶部５２は、書換可能な記憶媒体を用いることで、通信部５４、更に他のリムーバル記録媒体から入力されたアップデート用のプログラムに、現在保存されているプログラムを書き換えることができる。一時記憶部５３は、ＲＡＭ等で構成されている。この一時記憶部５３には、プログラム用記憶部５２に格納されている各種プログラムがロードされる。
【００６５】
通信部５４は、広告主端末４０、放送装置１０及び受信装置２０との間でデータ通信を行う。具体的に、通信部５４は、広告主端末４０から送信されたプッシュ型広告データと受信装置２０のアクセス先データとを受信し、更に、付与したインデックスデータとそのインデックスデータに対応したプッシュ型広告データを放送装置１０に送信する。また、通信部５４は、受信装置２０からのインデックスデータを受信したとき、受信したインデックスデータに関連付けられたアクセス先データをネットワーク２を介して受信装置２０に送信する。
【００６６】
以上のように構成された管理装置５０は、通信部５４で広告主端末４０からネットワーク２を介して送信されたプッシュ型広告データとこのプッシュ型広告データのインデックスデータとを受信すると、受信したプッシュ型広告データにナンバを付与し、インデックスデータをリンクテーブル５１に登録する。すなわち、制御部５５は、広告主端末４０からプッシュ型広告データを受信すると、受信したプッシュ型広告データにナンバを付与すると共に、インデックスデータを付与し、リンクテーブル５１に登録する。また、制御部５５は、リンクテーブル５１に、プッシュ型広告データのナンバに関連付けてプッシュ型広告データと共に受信したアクセス先データを登録する。制御部５５は、広告主端末４０から送信されたプッシュ型広告データに対してインデックスデータを付与し、リンクテーブル５１に登録すると、次いで、リンクテーブル５１に登録済みのプッシュ型広告データとそのプッシュ型広告データに付与したインデックスデータとを通信部５４よりネットワーク２を介して放送装置１０に送信する。
【００６７】
また、通信部５４でネットワーク２を介して受信装置２０から送信されたインデックスデータを受信すると、制御部５５は、リンクテーブル５１にアクセスし、インデックスデータを元に、そのインデックスデータが示すプッシュ型広告データのアクセス先データを抽出し、この抽出したアクセス先データを通信部５４よりネットワーク２を介して受信装置２０に返信する。制御部５５は、受信装置２０からアクセス先データ取得のためのアクセスがあったとき、そのアクセスがあったプッシュ型広告データのアクセス回数を更新する。
【００６８】
次に、以上のように構成された広告検索システム１の処理について説明する。
先ず、図６を参照して、広告主端末４０が制作したプッシュ型広告データを放送装置１０に送信するまでの一連の処理について説明する。
【００６９】
先ず、広告主端末４０は、通信部４６よりネットワーク２を介して放送用のプッシュ型広告データとそのプッシュ型広告データに対応するプル型広告データが所在するアクセス先アドレスデータとを管理装置５０に送信する。管理装置５０の制御部５５は、ステップＳ１において、広告主端末４０から送信されたプッシュ型広告データとそのプッシュ型広告データに対応したプル型広告データが所在するアクセス先アドレスデータとを通信部５４で受信すると、ステップＳ２において、受信したプッシュ型広告データにナンバを付与すると共に、インデックスデータを付与する。制御部５５は、プッシュ型広告データにナンバとインデックスデータとを付与すると、上記表１に示すリンクテーブル５１に、付与したナンバにインデックスデータと受信したアクセス先アドレスデータとを登録する。広告主端末４０から送信されたプッシュ型広告データのリンクテーブル５１への登録が完了すると、管理装置５０の制御部５５は、ステップＳ３において、通信部５４よりネットワーク２を介して広告主端末４０から送信されたプッシュ型広告データと付与したインデックスデータとを放送装置１０に送信する。
【００７０】
受信待機状態にある放送装置１０は、ステップＳ４において、通信部１３でネットワーク２を介して管理装置５０から送信されたプッシュ型広告データとそのプッシュ型広告データのインデックスデータとを受信する。次いで、ステップＳ５において、放送装置１０は、広告データ生成部１４で管理装置５０から送信され通信部１３で受信したプッシュ型広告データとインデックスデータとを一体化し、一体化したプッシュ型広告データを広告蓄積部１２に保存する。
【００７１】
次に、放送装置１０が放送データを送信し、受信装置２０がインデックスデータを蓄積しながら再生するまでの一連の処理について図７を参照して説明する。
【００７２】
放送装置１０は、ステップＳ１１において、一日の放送プログラムに従って、番組蓄積部１１、広告蓄積部１２より番組データ、プッシュ型広告データを読み出し、放送データ生成部１５で番組間に、所定時間（１５秒、３０秒程度）の一又は複数のプッシュ型広告データを挿入し、また、番組本編間に（例えば１５分間隔）、所定時間（例えば１５秒、３０秒程度）の一又は複数のインデックスデータが一体化されたプッシュ型広告データを挿入して放送データを生成する。ステップＳ１２において、放送装置１０は、生成した放送データをディジタル多重化部１６でディジタル多重化し、ステップＳ１３において、ディジタル多重化された放送データを送信処理部１７で符号化し更に変調して、ステップＳ１４において、アンテナ１７より発信する。
【００７３】
一方、受信装置２０は、ステップＳ１５において、視聴者が操作部２９を操作することによって、視聴者所望のチャンネルを再生するように設定される。ステップＳ１６において、受信装置２０は、アンテナ２１で放送装置１０より発信された放送データを受信すると、ステップＳ１７において、受信処理部２２で復調、復号処理を施し、復号処理部２３で選択されたチャンネルの放送データを抽出し、ステップＳ１８において、抽出した放送データをＤ／Ａコンバータ２６でディジタル信号をアナログ信号に変換し、スピーカ２７より再生音に変換して出力する。また、復号処理部２３は、選択されたチャンネルの放送信号より表示データを抽出し、表示部２８に表示データを表示する。
【００７４】
放送データの再生処理と並列して、受信装置２０は、ステップＳ１９において、インデックス抽出部２４は、視聴者が選択している復号処理されたチャンネルの放送データよりプッシュ型広告データを検出し、検出したプッシュ型広告データより付与されているインデックスデータを抽出し、インデックス記憶部２５に、抽出したインデックスデータを保存する。
【００７５】
ところで、この受信装置２０は、インデックス記憶部２５に、受信したプッシュ型広告データのインデックスデータを蓄積することで、蓄積したインデックスデータを用いて視聴者所望のインデックスデータを検索し、そのインデックスデータに関連するプル型広告データを閲覧し、視聴者がプッシュ型広告データより更に詳細な情報を得ることができるようにしている。
【００７６】
先ず、視聴者は、インデックスデータを検索するとき、操作部２９を操作することによって、広告閲覧用チャンネルに受信装置２０を設定する。そして、視聴者は、操作部２９のキーボード等を操作することによって、ステップＳ２１において、例えば表示部２８に表示された閲覧画面の入力欄に検索条件を入力する。
例えば、検索する広告のジャンル（家電製品、自動車、コンピュータ等）、キーワード等を入力する。受信装置２０の制御部３４は、操作部２９の検索釦が操作されると、インデックス記憶部２５にアクセスし、蓄積されているインデックスデータの中から検索条件に合致したインデックスデータを抽出し、抽出したインデックスデータを表示部２８に一覧表示する。
【００７７】
表示部２８に一覧表示されたインデックスデータの中から視聴者が操作部２９を操作することによって一のインデックスデータを選択し、操作部２９の送信釦を操作すると、受信装置２０の制御部３４は、ステップＳ２２において、選択されたインデックスデータを通信部３３よりネットワーク２を介して管理装置５０に送信する。
【００７８】
受信待機状態にある管理装置５０の制御部５５は、ステップＳ２３において、ネットワーク２を介して受信装置２０から送信されたインデックスデータを通信部５４で受信すると、次いで、ステップＳ２４において、リンクテーブル５１にアクセスして、受信したインデックスデータに対応するアクセス先アドレスデータを検索する。ステップＳ２５において、制御部５５は、受信したインデックスデータに関連付けられたアクセス先アドレスデータをリンクテーブル５１より抽出すると共に、アクセスのあったインデックスデータのアクセス回数の欄に１を加算する。そして、管理装置５０の制御部５５は、ステップＳ２５において、検索したアクセス先アドレスデータを通信部５４よりネットワーク２を介して受信装置２０に返信する。
【００７９】
受信装置２０の制御部３４は、ステップＳ２６において、管理装置５０からネットワーク２を介して送信されたアクセス先アドレスデータを通信部３３で受信すると、受信したアクセス先データ等を表示部２８に表示すると共に、ステップＳ２７において、このアクセス先アドレスデータに通信部３３よりアクセスする。受信装置２０は、通信部３３よりネットワーク２を介してアクセス先アドレスデータを抽出し、そのアクセス先アドレスデータに所在するプル型広告データをネットワーク２を通信部を介してダウンロード若しくはストリーミングする。ステップＳ２８において、視聴者は、取得したアクセス先アドレスデータが所在するサーバ装置、例えば広告主端末４０にネットワーク２を介してアクセスし、プル型広告データをダウンロードし、表示部２８に表示し、更に、再生音をスピーカ２７より放音することができる。かくして、視聴者は、放送で行われるプッシュ型広告データより詳細な詳細データをプル型広告データを閲覧することによって取得することができる。なお、プル型広告データが所在する装置は、広告主端末４０に限定されるものではなく、ネットワーク２に接続されたサーバ装置であれば何れであってもよい。
【００８０】
以上のように、管理装置５０は、受信装置２０から所定のインデックスデータが送信されるとリンクテーブル５１のアクセス回数を更新する。そして、所定期間毎にアクセス回数を集計し、集計結果を広告主に知らせるため広告主端末４０に送信する。この際の一連の処理を図９を参照して説明する。
【００８１】
管理装置５０の制御部５５は、ステップＳ３１において、所定期間経過したか、例えば１週間経過したか、１ヶ月経過したかを判断し、所定期間警戒したとき、ステップＳ３２に進み、所定期間経過していないとき、ステップＳ３１を繰り返す。所定期間が経過すると、ステップＳ３２において、制御部５５は、リンクテーブル５１にアクセスし、ナンバ毎のアクセス回数を抽出する。そして、ステップＳ３３において、制御部５５は、通信部５４より、各広告主の広告主端末４０に抽出したアクセス回数を含む統計データを送信する。広告主は、広告主端末４０が通信部４６で管理装置５０から送信された統計データを受信することによって、統計データを取得することができ、テレビジョン放送で行うプッシュ型広告の広告効果等を知ることができる。
【００８２】
以上のように構成された広告検索システム１では、放送装置１０が送信するプッシュ型広告データに、上記表１で示す管理装置５０のリンクテーブル５１でアクセス先アドレスデータに関連付けられたインデックスデータを含ませ、視聴者宅の受信装置２０がインデックスデータを蓄積するようにすることで、視聴者が所望のプッシュ型広告データの詳細を更に知りたいとき、そのプッシュ型広告データのインデックスデータを容易に検索することができる。そして、視聴者が放送されたプッシュ型広告の内容より更に詳細な情報の取得を望むとき、受信装置２０は、インデックスデータを管理装置５０に送信し、インデックスデータに関連する関連データとなるアクセス先アドレスデータを取得し、取得したアクセス先アドレスデータにアクセスする。これによって、受信装置２０は、視聴者が所望したプッシュ型広告データの更に詳細なプル型広告データを視聴することができる。したがって、この広告検索システム１では、例えば広告閲覧用チャンネルから更にプル型広告データを閲覧することにより詳細情報を入手した商品を購入するシステムを組み込むことによって、視聴者は、テレビジョン広告を見てから広告商品の購入までの操作を簡単に行うことができる。
【００８３】
また、この広告検索システム１では、受信装置２０がプッシュ型広告データより更なる詳細なプル型広告データを閲覧するため、管理装置５０にアクセスしインデックスデータを送信してきたとき、そのアクセス回数をインデックスデータ毎に管理するようにしている。したがって、管理装置５０は、所定間隔毎に、例えば月間や週間で広告主端末４０にネットワーク２を介してアクセス回数を報告することで、広告主端末４０の所有者である広告主は、自分の広告に対するアクセス件数を参考に、視聴者の関心度を知ることができる。
【００８４】
更に、この広告検索システム１では、放送するプッシュ型広告データにインデックスデータを含ませるようにし、受信装置２０ではインデックスデータを抽出するようにしていることから、受信装置では従来のように広告データの特徴点を抽出する必要もなく、構成を簡素化することができる。
【００８５】
【発明の効果】
本発明によれば、放送されるプッシュ型広告データに、インデックスデータを含ませ、視聴者宅の受信装置がインデックスデータを蓄積するようにすることで、視聴者が放送される広告データの詳細を更に知りたいとき、放送された広告データのインデックスデータを容易に検索することができる。そして、視聴者が放送された広告の内容より更に詳細な情報の取得を望むとき、受信装置は、インデックスデータをサーバ装置に送信し、インデックスデータに関連する関連データを取得し、取得した関連データに基づいて上記広告データより更に詳細な広告データ閲覧することができる。したがって、視聴者は、簡単な操作で、放送される広告より詳細な広告を簡単な操作で取得することができる。
【図面の簡単な説明】
【図１】本発明を適用した広告検索システムを説明する概念図である。
【図２】上記広告検索システムを構成する放送装置のブロック図である。
【図３】上記広告検索システムを構成する受信装置のブロック図である。
【図４】上記広告検索システムを構成する広告主端末のブロック図である。
【図５】上記広告検索システムを構成する管理装置のブロック図である。
【図６】管理装置が広告主端末から受信した広告データを放送装置に送信する一連の処理を説明するフローチャートである。
【図７】放送装置が放送データを送信し、受信装置がインデックスデータを蓄積しながら再生するまでの一連の処理を説明するフローチャートである。
【図８】受信装置がプル型広告データを閲覧するまでの処理を説明するフローチャートである。
【図９】管理装置が広告主に統計データを送信する際の処理を説明するフローチャートである。
【符号の説明】
１  広告検索システム、２  ネットワーク、１０  放送装置、２０  受信装置、４０  広告主端末、５０  管理装置
【図１】
2004186791.tif 000004
【図２】
2004186791.tif 000005
【図３】
2004186791.tif 000006
【図４】
2004186791.tif 000007
【図５】
2004186791.tif 000008
【図６】
2004186791.tif 000009
【図７】
2004186791.tif 000010
【図８】
2004186791.tif 000011
【図９】
2004186791.tif 000012